(57)【特許請求の範囲】
【請求項１】
薬品保管庫本体の庫内を冷却手段により冷却すると共に、温度制御手段により所定温度に制御する薬品保管庫において、前記薬品保管庫本体の庫壁に前記冷却手段を埋設すると共に、この冷却手段よりも庫内側に加熱手段を埋設し、この加熱手段及び前記冷却手段の作動により、庫内温度を医薬品の至適温度範囲に制御することを特徴とする薬品保管庫。
【発明の詳細な説明】
【０００１】
【発明の属する技術分野】
本発明は、医薬品の保存のための薬品保管庫に関する。
【０００２】
【従来の技術】
近年の医療社会の発展は著しく、病院から処方される医薬品も多種多数である。また、薬事法の改正により、薬剤師は、処方薬の内容を患者に説明し、納得してもらった上で正しい服用を患者に指導する義務がある。このような状況の中で、医薬品の正しい取扱いと管理が問題視されるようになってきた。通常、処方された医薬品や薬局、薬店で購入したＯＴＣ医薬品（家庭用医薬品）を保存する場合、冷蔵保存が好ましいものが多い。近年、急増している在宅医療患者においては、処方点滴製剤の１〜２週間処方も通例化しつつあり、このような医薬品は品質保持、薬効保持上冷蔵保存が必須である。
【０００３】
【発明が解決しようとする課題】
しかしながら、家庭用冷蔵庫では、庫内の制御温度分布が大きい、誤って医薬品が凍結することがある、他の食品と混ざって誤服用事故のおそれがある、等の理由により、医薬品の保存が禁止されているのが現状である。
【０００４】
そこで、本発明の目的は、上述した従来技術が有する課題を解消し、一般家庭において病院の処方薬、或いは薬局、薬店で購入したＯＴＣ医薬品を安心して保管できる薬品保管庫を提供することにある。
【０００５】
【問題を解決するための手段】
請求項１記載の発明は、薬品保管庫本体の庫内を冷却手段により冷却すると共に、温度制御手段により所定温度に制御する薬品保管庫において、薬品保管庫本体の庫壁に前記冷却手段を埋設し、この冷却手段よりも庫内側に加熱手段を埋設し、この加熱手段及び冷却手段の作動により、庫内温度を医薬品の至適温度範囲に制御することを特徴とするものである。
【０００９】
請求項１に記載の発明には、次の作用がある。
【００１０】
庫内温度は、加熱手段を冷却手段よりも庫内側に埋設することにより、過冷却時の庫内温度の上昇を早くさせて庫内温度を至適温度範囲に制御できる。すなわち、庫内が一定温度以上に保持されることから、薬品保管庫の周囲温度が氷点下に低下した場合にも、庫内温度を医薬品の至適温度範囲の下限値以上に設定でき、ＯＴＣ医薬品の凍結を防止でき、当該医薬品を家庭で安全に保存管理することができる。
【００１７】
【発明の実施の形態】
以下、本発明の実施の形態を図面に基づいて説明する。
【００１８】
図１は、本発明に係る薬品保管庫の一実施の形態を示す斜視図である。図１に示す薬品保管庫１０は、ＯＴＣ医薬品の保冷庫であり、薬品保管庫本体１１の内部（庫内１２）に複数個、例えば３個の棚板１３を備えて構成されている。この棚板１３は、一対の棚受け側板１５及び棚受け背板１７に着脱自在に支持されている。この薬品保管庫本体１１には開閉自在に扉２０が設けられている。
薬品保管庫本体１１の背面下部には図示を省略した圧縮機及び凝縮器が設置され、さらに薬品保管庫本体１１の両側壁、背壁の３つの庫壁２３には蒸発器を構成する蛇行状の冷媒パイプ（冷却手段）２５，２７，２９が埋設されている。この冷媒パイプ２５，２７，２９、ならびに図示を省略した圧縮機及び凝縮器は、それぞれ冷媒配管で接続され、冷凍サイクルを構成している。
【００１９】
この薬品保管庫は冷媒パイプ２５，２７，２９で冷媒を蒸発させ、庫壁２３を通じて庫内１２を直接冷却する直冷式薬品保管庫である。
【００２０】
この実施形態では、図２に示すように、同じく各庫壁２３内に各冷媒パイプ２５，２７，２９よりも庫内側に位置するように並列に電気式ヒータ（加熱手段）３１が蛇行して埋設されている。
【００２１】
一方、薬品保管庫本体１１の庫内１２には温度制御手段としての温度センサ２６が配設されている。この温度センサ２６により庫内１２の温度が検出され、冷却運転により庫内温度が下限設定温度に到達すると、図示を省略した圧縮機の稼働が停止され、これにより庫内温度が反転・上昇して上限設定温度に達すると、圧縮機が稼働して、庫内温度が所定範囲に制御される。
【００２２】
そして、庫内１２が過冷却となれば、直ちに電気式ヒータ３１に通電され、この電気式ヒータ３１の加熱により庫内１２に電気式ヒータ３１の熱が放射され、庫内１２の過冷却が防止される。この場合の庫内温度は、ＯＴＣ医薬品の至適温度範囲（例えば２〜８℃）に制御される。
【００２３】
この薬品保管庫は、いわゆる直冷式であり薬品保管庫本体１１の庫壁２３に冷媒パイプ２５，２７，２９が埋設され、更にこの冷却手段よりも庫内１２側に当該冷却手段と並列に電気式ヒータ３１が埋設される。
【００２４】
従って、冷却時も加熱時も庫壁２３の全域を通じて均等に冷却或いは加熱するので、この加熱手段及び冷却手段の作動により、庫内温度をＯＴＣ医薬品の至適温度範囲（例えば２〜８℃）にむらなく制御可能になる。
【００２５】
また、薬品保管庫本体１１の上面には施錠機構２１が設けられ、前述の扉２０を、施錠可能に構成されている。この扉２０には鍵が内蔵され、施錠機構２１の図示を省略した鍵穴にキーを差し込み、前記鍵をロック作動させることにより、扉２０の不用意な開放が防止される。
【００２６】
従って、この実施形態によれば、次の効果▲１▼乃至▲３▼を奏する。
【００２７】
▲１▼一般の家庭用冷蔵庫とは異なり、庫壁２３に埋設された電気式ヒータ３１の加熱により、庫内１２が一定温度（２℃）以上に保持され、ＯＴＣ医薬品の保存に適した温度範囲（２〜８℃）に保持可能に構成されたことから、医薬品を庫内１２において適切な温度で保存できるので、薬品保管庫１０の周囲温度が氷点下に低下した場合にも、ＯＴＣ医薬品の凍結を確実に防止できる。
【００２８】
▲２▼冷媒パイプ２５，２７，２９と電気式ヒータ３１とを並列に庫壁２３に埋設しているので、薬品保管庫の小型化が図れ、これにより設置スペースの少ない家庭内であっても、その設置が容易になる。
【００２９】
▲３▼薬品保管庫本体１１の上面に鍵穴を備えた施錠機構２１が設置されたことから、子供等が不用意に庫内１２を外部に開放することを防止できるので、子供等によるＯＴＣ医薬品の誤飲等を確実に防止できる。
【００３０】
以上、一実施の形態に基づいて本発明を説明したが、本発明はこれに限定されるものではない。例えば、前記実施の形態の冷媒パイプ（冷却手段）２５，２７，２９、及び電気式ヒータ３１の代わりに、冷却加熱手段としての熱電変換素子（ペルチェ素子）を設置してもよい。このペルチェ素子は、庫内１２の温度が医薬品の保存に適した温度範囲（例えば２〜８℃）の上限値以上となったときに庫内１２を冷却し、前記温度範囲の下限値以下となったときに庫内１２を加熱して、庫内１２を前記温度範囲に常に保持する。
【００３１】
また、前記実施の形態の庫内１２には、例えば温度センサ２６とは別の温度センサ３３を設置し、この温度センサ３３にて検出された庫内１２の温度が、医薬品に適した温度範囲を越えた時に、警報発生器により光又は音などを発生するようにしてもよい。この場合には、庫内１２で医薬品が、医薬品に適した温度範囲を外れた温度で保存されたとき警報装置が警報を発するので、使用者はこのような医薬品の使用を控えることができ、安全性を高めることができる。
【００３２】
前記実施の形態の施錠機構２１は、例えば、幼児等のいたずらによっても扉等が開放できないようにした簡易なロック機構でもよい。
【００３３】
【発明の効果】
以上のように、本発明に係る薬品保管庫によれば、庫内温度は、加熱手段を冷却手段よりも庫内側に埋設することにより、過冷却時の庫内温度の上昇を早くさせて庫内温度を至適温度範囲に制御できる。すなわち、庫内が一定温度以上に保持されることから、薬品保管庫の周囲温度が氷点下に低下した場合にも、庫内温度を医薬品の至適温度範囲の下限値以上に設定でき、ＯＴＣ医薬品の凍結を防止でき、当該医薬品を家庭で安全に保存管理することができる。
【図面の簡単な説明】
【図１】本発明に係る薬品保管庫の一実施の形態を示す斜視図である。
【図２】棚受け側板の縦断面図である。
【符号の説明】
１０  薬品保管庫
１２  庫内
１３  棚板
２０  扉
２１  施錠機構
２３  庫壁
２５，２７，２９  冷媒パイプ（冷却手段）
３１  電気式ヒータ（加熱手段）
【図１】
0003806524.tif 000002
【図２】
0003806524.tif 000003